(57)【要約】【課題】電池を装填した後に、電源がオン操作された場合にも、機器本体の起動処理を短い時間で実行する。【解決手段】電源を機器本体と接続する電源接続部と、電源の機器本体との接続状態に移行させる電源接続動作が為されたか否かを判別する判別手段と、機器本体を非作動状態から作動状態に移行させる起動処理を実行するための操作を受け付ける起動受付手段と、機器本体への起動処理を実行させるために必要な起動情報を保持する不揮発性メモリと、揮発性メモリと、起動情報を不揮発性メモリから揮発性メモリに転送させる転送動作を実行する転送手段と、起動操作に応じて転送手段により揮発性メモリに転送された起動情報を用いて機器本体への起動処理を実行させる起動処理手段と、判別手段により電池装填動作が為されたと判別されると、転送動作を実行させる制御手段を備えることを特徴とする。【選択図】図１
2010117782.tif 000002
【特許請求の範囲】
【請求項１】
電源を機器本体と接続する電源接続部と、
前記電源の前記機器本体との非接続状態から接続状態に移行させる電源接続動作が為されたか否かを判別する判別手段と、
前記機器本体を非作動状態から作動状態に移行させる起動処理を実行するための操作を受け付ける起動受付手段と、
前記機器本体への起動処理を実行させるために必要な起動情報を保持する不揮発性メモリと、
揮発性メモリと、
前記起動情報を前記不揮発性メモリから前記揮発性メモリに転送させる転送動作を実行する転送手段と、
前記起動操作に応じて前記転送手段により前記揮発性メモリに転送された起動情報を用いて前記機器本体への起動処理を実行させる起動処理手段と、
前記判別手段により前記電池装填動作が為されたと判別されると、前記転送動作を実行させる制御手段を備えることを特徴とする、電子機器。
【請求項２】
前記転送手段により転送された前記起動情報を所定時間保持させる電力を前記不揮発性メモリに供給する電力供給手段をさらに備える、請求項１記載の電子機器。
【請求項３】
請求項１または請求項２に記載の電子機器は、撮像機能を備える撮像装置であって、前記起動情報は、前記撮像装置を起動させるためのソフトウェアであることを特徴とする撮像装置。
【発明の詳細な説明】
【技術分野】
【０００１】
本発明は、電子機器において、機器本体に電源からの電力が供給され、起動する際の起動時間の短縮を図る電子機器に関する。
【背景技術】
【０００２】
従来、例えばデジタルカメラのような電子機器において、メインスイッチがオフとされている一部の機能を除く機器全体に電力が供給されていない電源オフ状態から、メインスイッチがオンされることによって、機器全体に電力が供給される電源オン状態にさせた場合、実際に撮影が可能な状態になるまでには、一定の時間を要する。このように、一定の時間を要する理由としては、電源オフ状態から電源オン状態に移行した後に、不揮発性メモリに格納されている機器本体が起動するのに必要な情報（撮影処理に必要な設定情報を含む）をＳＤＲＡＭなどの揮発性メモリにロード（展開）する処理などを実行する必要があることなどが挙げられる。
【０００３】
使用者がこのような電子機器を使用する場合においては、機器本体の電源オフ状態から電源オン状態に移行してから、実際に機器本体が起動するまでの時間が短ければ短いほど使い勝手が向上するため、電源オフ状態から電源オン状態に移行してから、起動するまでの時間の短縮が望まれる。
【特許文献１】特開２００５−１７３６２０号公報  [Ｇ０３Ｂ  １７／０２]
【発明の開示】
【発明が解決しようとする課題】
【０００４】
特許文献１に記載された従来技術１のデジタルカメラでは、撮影処理に必要な情報をＳＤＲＡＭ等の記憶手段に展開し、システム起動処理が完了した状態を、電源がオフの状態においても継続させることができ、使用者が撮影を開始しようとして電源を投入した場合においても、即座に撮影を開始することができる。
【０００５】
さて、デジタルカメラにおいて、メインスイッチをオフにした後に使用者が一次電池や二次電池を筐体から外して、電池の電圧が確保された状態で再び装填する場合がある。この場合、電池が外されているため、従来技術１のデジタルカメラでは、記憶手段に撮影処理を含むデジタルカメラ本体が起動（システム起動処理）するにあたって必要な情報を維持することはできない。従って、使用者が電池を装填した場合、メインスイッチをオンにした後、システム起動処理に必要な情報をＳＤＲＡＭに展開し、システム起動処理が完了した後に、ようやく撮影処理が可能となる。通常、使用者が電池を装填する行為をした場合には、使用者は直ぐに撮影を行いたい心理が働いているはずであるため、メインスイッチをオンにした後に実行されるシステム起動処理にかかる時間は、使用者にとって非常に煩わしいものである。
【０００６】
本発明は、上記の問題点を解決するもので、電源を機器本体に接続した後に、機器全体に電力を供給する電源オン操作された場合にも、機器本体の起動処理を短い時間で実行することができる電子機器を提供するものである。
【課題を解決するための手段】
【０００７】
請求項１の発明の電子機器は、電源を機器本体と接続する電源接続部と、電源の機器本体との接続状態に移行させる電源接続動作が為されたか否かを判別する判別手段と、機器本体を非作動状態から作動状態に移行させる起動処理を実行するための操作を受け付ける起動受付手段と、機器本体への起動処理を実行させるために必要な起動情報を保持する不揮発性メモリと、揮発性メモリと、起動情報を不揮発性メモリから揮発性メモリに転送させる転送動作を実行する転送手段と、起動操作に応じて転送手段により揮発性メモリに転送された起動情報を用いて機器本体への起動処理を実行させる起動処理手段と、判別手段により電池装填動作が為されたと判別されると、転送動作を実行させる制御手段を備えることを特徴とする。
【０００８】
請求項２の発明の電子機器は、請求項１の発明に従属し、転送手段により転送された起動情報を所定時間保持させる電力を不揮発性メモリに供給する供給手段をさらに備えることを特徴とする。
【０００９】
請求項３の発明の電子機器は、請求項１または請求項２の発明に従属し、撮像機能を備える撮像装置であって、起動情報は、撮像装置を起動させるためのソフトウェアであることを特徴とする。
【発明の効果】
【００１０】
本発明の電子機器によれば、電源を機器本体に接続した後に、機器全体に電力を供給する電源オン操作された場合にも、機器本体の起動処理を短い時間で実行することができる。
【発明を実施するための最良の形態】
【００１１】
以下、本発明の電子機器の一実施例として、デジタルカメラ１０に実施した形態につき、図面に沿って具体的に説明する。図１は、デジタルカメラ１０のブロック図を示している。
【００１２】
デジタルカメラ１０は光学レンズ１６および図示しない絞りを含み、被写体の光学像はＣＰＵ２２による指示によって、図示しないモータ駆動部に制御された光学レンズ１６および絞りを通して、ＣＭＯＳイメージャユニット１８に取り込まれる。そして、ＣＰＵ２２に接続された図示しないタイミングジェネレータによって与えられる取り込みパルスによって、ＣＭＯＳイメージャユニット１８から１フレーム分のデジタル撮像信号が出力される。ここで、ＣＭＯＳイメージャユニット１８では、各画素で蓄積した電荷を増幅し、各画素から配線を使用して信号として読み出しを行い、該信号に対して、相関２重サンプリング処理、ゲイン調整、クランプ処理、Ａ／Ｄ変換処理を施す。該処理が施されたデジタル撮像信号は、画素毎にＲ、Ｇ、Ｂのいずれかの色信号を有し、ＣＰＵ２２の制御によって、バス４０を介してＳＤＲＡＭ３２に一旦格納される。
【００１３】
ＳＤＲＡＭ３２一旦格納されたデジタル撮像信号は、ＣＰＵ２２の制御によって信号処理回路２０へ入力される。信号処理回路２０では、入力されたデジタル撮像信号に対して色分離処理を施し、更にＹＵＶ変換により、Ｙ、Ｕ、Ｖ信号に変換する。そして、信号処理回路２０で変換されたデジタル画像信号は、バス４０を介して、再びＳＤＲＡＭ３２へ格納される。本実施例においては、上述したＣＭＯＳイメージャユニット１８から出力されたデジタル撮像信号が、信号処理回路２０でデジタル画像信号に変換処理され、ＳＤＲＡＭ３２に格納されるまでの処理を、撮影処理と定義する。
【００１４】
また、ＳＤＲＡＭ３２に格納されたデジタル画像信号は、ＣＰＵ２２の制御によりＬＣＤ３８へ出力される。ＬＣＤ３８は、図示しないＬＣＤドライバを含み、ＬＣＤドライバはＹ、Ｕ、Ｖ信号をＲＧＢ信号に変換して、ＬＣＤ３８にデジタル画像信号に基づく画像信号を表示させる。
【００１５】
さて、操作部３６は、デジタルカメラ１０本体に対する電源からの電力供給のオン／オフを切換える（オン状態からオフ状態、またはオフ状態からオン状態に移行する）メインスイッチを備えている。なお、本実施例おいて、デジタルカメラ１０の一部または全体に供給される電力の源は、電池である。そして、使用者によってメインスイッチの電源オン／オフが操作されることにより、電源からの電力供給がオン状態からオフ状態に、または電源からの電力供給がオフ状態からオン状態に移行する。操作部３６は、サブマイコン３４およびＣＰＵ２２と接続されており、操作部３６が操作されることによって、メインスイッチの電源オン／オフ操作に対応する信号を含む操作信号が、ＣＰＵ２２またはサブマイコン３４に入力される。
【００１６】
さて、本実施例では、サブマイコン３４のみに電源からの電力が供給されている状態をサブ電源供給状態と定義し、デジタルカメラ１０全体に電源からの電力が供給されている状態をメイン電源供給状態と定義し、サブマイコン３４およびデジタルカメラ１０全体に電源からの電力が供給されていない状態を電源供給休止状態とする。この電源供給休止状態は、デジタルカメラ１０から電池が外された状態、つまり非電池装填状態に対応する。
【００１７】
サブマイコン３４は、電源供給部２８およびＣＰＵ２２に接続され、操作部３６のメインスイッチの電源オン操作が為されることにより、電源供給部２８を制御し、デジタルカメラ１０全体に電源からの電力を供給し、メイン電源供給状態にする。また、サブマイコン３４内部にはタイマ３４ａが格納されており、タイマ３４ａは所定時間をカウントすると、タイムアップ信号を出力し、サブマイコン３４は、サブマイコン３４内の図示しないレジスタに格納されているタイムアップフラグを立てる（Ｆ＝１）。
【００１８】
また、デジタルカメラ１０において、電池が装填されていない状態では、電源供給休止状態とし、電池が装填されている状態であって、メインスイッチの電源オフ操作が為されるとサブマイコン３４が電源供給部２８を制御して、サブ電源供給状態となる。
【００１９】
電池が装填されている状態であって、メインスイッチの電源オン操作が為されると、サブマイコン３４が電源供給部２８を制御して、メイン電源供給状態となる。
【００２０】
以下、電源からの電力供給の状態の移行について詳細に説明する。
【００２１】
電源供給休止状態、つまり非電池装填状態において、電池が装填されることによって、サブマイコン３４に電力が供給され、サブ電源供給状態となる。このサブ電源供給状態において、操作部３６のメインスイッチの電源オン操作が為されることにより、サブマイコン３４は、電源供給部２８を制御し、デジタルカメラ１０全体に電力を供給して、メイン電源供給状態に移行させる。メイン電源供給状態の移行に伴って、ＣＰＵ２２にも電力が供給される。すると、ＣＰＵ２２は、不揮発性メモリ２６に格納されているファームウェアを揮発性メモリ２４に展開させる。該ファームウェアは、上述した撮影処理を含むデジタルカメラ２０本体が起動（システム起動処理）に必要なソフトウェア、即ちプログラムである。
【００２２】
また、サブマイコン３４は、電源供給部２８を制御し、サブ電源状態に移行させるとともに、揮発性メモリ２４に電力を供給して、展開されているファームウェアを所定時間保持させる。この状態を、サブ電源／ファームウェア保持状態と定義する。
【００２３】
サブ電源／ファームウェア保持状態において、使用者によって操作部３６のメインスイッチの電源オン操作が為されると、ＣＰＵ２２は、揮発性メモリ２４に展開されたファームウェアを実行することによって、システム起動処理を行う。このように、サブ電源／ファームウェア保持状態においては、揮発性メモリ２４にファームウェアが展開されている状態で保持されているため、メインスイッチの電源オン操作が為されたときに、不揮発性メモリ２６に格納されているファームウェアを、揮発性メモリ２４に展開する処理が省略される。つまり、デジタルカメラ１０に電池が装填され、使用者によって電源オン操作が為された時点から、システム起動処理を実行するまでの所要時間が省略される。
【００２４】
一般的に、使用者が電池を装填する行為は、直ぐにデジタルカメラ１０を操作したいという心理に繋がっている場合が多い。従って、メインスイッチの電源オン操作が為されてから、直ぐにデジタルカメラ１０のシステム起動処理が実行されるため、使用者における直ぐにデジタルカメラ１０を操作できないというストレスを解消する。
【００２５】
また、サブマイコン３４の内部にはタイマ３４ａが設置されており、操作部３６のメインスイッチの電源オン操作が為されることによって、サブ電源供給状態からメイン電源供給状態に移行されるタイミングで、タイマ３４ａのカウントをスタートさせる。
【００２６】
そして、所定時間、例えば５分間経過するとタイムアップフラグを立て（Ｆ＝１）、タイムアップフラグが立っていること（Ｆ＝１）をサブマイコン３４が検知すると、電源供給部２８を制御して、揮発性メモリ２４に対する電力の供給を停止し、サブ電源供給状態に移行させる。すると、揮発性メモリ２４は、ファームウェアを保持できなくなる。従って、サブ電源供給状態において、使用者によってメインスイッチの電源オン操作が為されると、サブマイコン３４は、電源供給部２８を制御し、デジタルカメラ１０全体に電力を供給して、メイン電源供給状態に移行させる。そして、メイン電源供給状態に移行するに伴って、ＣＰＵ２２にも電力が供給され、ＣＰＵ２２は、不揮発性メモリ２６に格納されているファームウェアを揮発性メモリ２４に展開させる。そして、ＣＰＵ２２は展開されたファームウェアを実行することによって、システム起動処理を実行する。
【００２７】
このように、使用者によって電池が装填されてから、所定時間の間に使用者による電源オン操作が為されない場合には、揮発性メモリ２４に対する電力の供給を停止することによって、不要な電力を消費することを防ぐことができる。
【００２８】
次に、上述したサブマイコン３４およびＣＰＵ２２における、電池の装填に伴う不揮発性メモリ２６に格納されているファームウェアを揮発性メモリ２４に展開させる処理の手続を、図２および図３を参照して説明する。
【００２９】
ステップＳ１において、サブマイコン３４は、電池が非装填状態から装填状態に移行したか否かを判別する。言い換えれば、サブマイコン３４に電源（電池）からの電力が供給されたか否かを判別する。ステップＳ１においてＹＥＳと判別すると、ステップＳ３に進み、電源供給部２８を制御して、メイン電源供給状態に移行させる。そして、ステップＳ５へ進み、ＣＰＵ２２は、不揮発性メモリ２６に格納されているファームウェアを揮発性メモリ２４へロード、すなわち展開させる。
【００３０】
次にステップＳ７へ進み、サブマイコン３４は電源供給部２８を制御して、サブ電源／ファームウェア保持状態に移行させると共に、サブマイコン３４内のタイマ３４ａにおける所定時間のカウントをスタートさせる。そして、ステップＳ９へ進み、サブマイコン３４は、タイマ３４ａが所定時間カウントしたか、つまりタイムアップフラグが立っているか（Ｆ＝１であるか）否かを判別する。
【００３１】
ステップＳ９において、サブマイコン３４がＹＥＳと判別するとステップＳ１１へ進み、電源供給部２８を制御することにより、揮発性メモリ２４への電力の供給を停止させる。つまりは、デジタルカメラ１０は、サブ電源／ファームウェア保持状態からサブ電源供給状態に移行し、ステップＳ１５へ進む。
【００３２】
ステップＳ１５では、サブマイコン３４が、使用者によるメインスイッチの電源オン操作が為されたか否かを判別し、ＹＥＳと判別すると、ステップＳ１７へ進む。ステップＳ１７では、ＣＰＵ２２が、不揮発性メモリ２６に格納されているファームウェアを揮発性メモリ２４へロード、すなわち展開させ、ステップＳ２１へ進む。
【００３３】
ステップＳ９において、サブマイコン３４がＮＯと判別すると、ステップＳ１３へ進み、操作部３６のメインスイッチの電源オン操作があったか否かを判別し、ＮＯと判別するとステップＳ９へ戻り、ＹＥＳと判別するとステップＳ１９へ進む。
【００３４】
ステップＳ１９では、サブマイコン３４は、タイムアップフラグをリセット（Ｆ＝０）し、電源供給部２８を制御して、デジタルカメラ１０をメイン電源供給状態に移行させる。そしてステップＳ２１へ進み、ＣＰＵ２２は、揮発性メモリに展開されているファームウェアを実行する、つまりシステム起動処理を実行し、手続が終了する。
【００３５】
このように、本実施例によれば、使用者がデジタルカメラ１０に対して電池を装填した際に、自動的に不揮発性メモリ２６から揮発性メモリ２４にファームウェアを展開し、かつ揮発性メモリ２４に展開されたファームウェアを所定時間保持することによって、使用者による電源オン操作が為されたときに、直ぐにファームウェアを実行する、つまりシステム起動処理を実行することができる。従って、使用者によって電池が装填され、連続して電源オン操作が為されたときに、システム起動処理を短い時間で実行することができる。
【００３６】
なお、本実施例におけるデジタルカメラ１０に供給される電力の源、つまり電源は電池であるが、ＡＣアダプタなどの電源であってもよい。
【図面の簡単な説明】
【００３７】
【図１】本実施例に係るデジタルカメラを示すブロック図である。
【図２】本実施例に適用されるサブマイコンとＣＰＵの動作の一部を示すフローチャートである。
【図３】本実施例に適用されるサブマイコンとＣＰＵの動作の他の一部を示すフローチャートである。
【符号の説明】
【００３８】
１０    ・・・デジタルカメラ
２２    ・・・ＣＰＵ
２４    ・・・揮発性メモリ
２６    ・・・不揮発性メモリ
２８    ・・・電源供給部
３２    ・・・ＳＤＲＡＭ
３４    ・・・サブマイコン
３６    ・・・操作部
４０    ・・・バス
【図１】
2010117782.tif 000003
【図２】
2010117782.tif 000004
【図３】
2010117782.tif 000005